(57)【要約】【課題】クリップの半開状態を維持して患部を挟持する際の操作性の良い内視鏡用クリップユニットの提供。【解決手段】先端側に向かって拡開した形状になるようにバネ性を有する材料で形成されたクリップ１０１と、クリップ１０１に被嵌されて前記クリップの後端側から先端側に移動させることによりクリップを弾性変形させて強制的に閉じた状態にする環状のリング１０９とを備え、クリップ１０１が後端側から先端側に向かって、前記リングが外周に被嵌されたときに全開状態で仮止めする第１係止部１０５ａと、該第１係止部から先端側に位置し、前記リングが外周に被嵌されたときに前記全開状態より狭い所定の半開状態で仮止めするように内方へ湾曲した第２係止部１０５ｂとを備えた内視鏡用クリップユニット。【選択図】図１
2020185036.tif 000002
【特許請求の範囲】
【請求項１】
後端部分で曲げ戻されて外力が加わっていない状態の時は先端側に向かって拡開した形状になるようにバネ性を有する材料で形成されたクリップと、前記クリップに被嵌されて前記クリップの後端側から先端側に移動させることにより前記クリップを弾性変形させて強制的に閉じた状態にする環状のリングとを備える内視鏡用クリップユニットであって、
前記クリップが後端側から先端側に向かって、
前記リングが外周に被嵌されたときに所定の全開状態で仮止めする第１係止部と、
該第１係止部から先端側に位置し、前記リングが外周に被嵌されたときに前記全開状態より狭い所定の半開状態で仮止めするように内方へ湾曲した第２係止部と、
該第２係止部から先端側に位置し、前記リングが外周に被嵌されたときに前記クリップを全閉状態で固定する固定部と、
を備えたことを特徴とする内視鏡用クリップユニット。
【請求項２】
前記クリップは、前記第２係止部及び固定部に被嵌されたリングの先端側に接するクリップの幅が後端側の幅に比べて広くなる段差が形成されていることを特徴とする請求項１に記載の内視鏡用クリップユニット。
【請求項３】
前記段差が、前記クリップの後端側から先端側に向かって鈍角をなす斜面状に形成されていることを特徴とする請求項２に記載の内視鏡用クリップユニット。
【請求項４】
前記第２係止部を先端側に向かって複数備えたことを特徴とする請求項１から３何れかに記載の内視鏡用クリップユニット。
【請求項５】
前記リングがコイル状に形成されていることを特徴とする請求項１から４の何れかに記載の内視鏡用クリップユニット。
【発明の詳細な説明】
【技術分野】
【０００１】
本発明は、生体の体腔内の生体組織を挟持して止血処置等を行い、体内に留置される内視鏡用クリップユニットに関する。
【背景技術】
【０００２】
一般に、内視鏡施術用の結紮装置は、内視鏡のチャネルを貫通して消化器官に案内され、先端に配置されたクリップユニットのクリップアームを開閉して患部や血管等を挟持し、この患部等を挟持した状態のクリップユニットを分離して体内に残すように構成されている。
【０００３】
この従来技術による内視鏡用のクリップユニット（以下、内視鏡用クリップユニット又はクリップユニットと呼ぶ）を含む結紮装置に関する技術が記載された文献としては下記の特許文献１が挙げられる。この特許文献１には、可撓性の外套管から突出させたシースの先端に連結金具を介して取り付けたクリップが所定の全閉状態にされる前の段階であれば、リングをクリップの後側平行部まで確実に後退させて、クリップを所定の全開状態に開いた状態まで戻すことができる内視鏡用クリップユニットに関する技術が記載されている。
【先行技術文献】
【特許文献】
【０００４】
【特許文献１】特開２００７−２８３０８０号公報
【発明の概要】
【発明が解決しようとする課題】
【０００５】
前述の特許文献に記載されたクリップユニットは、クリップ後端側と先端側の中間位置近傍に内方に湾曲する内方円弧部を設け、外套管から突出させたクリップのリングが内方円弧部を設けたことによって全閉状態前であればリングを後退させて開き、再びクリップを全開状態に開くことができる。しかしながら、この従来技術によるクリップユニットは、リングが内方円弧部にある状態からクリップを全開状態の角度まで弾性復元力によって開くため、つかみ直しができるものの、つかみ直しを行う際に再度全開状態でクリップを患部に近づけなければならないため、挟持対象である患部が小さい場合、全開状態クリップの患部に対する位置づけが容易ではなく、クリップの開閉を繰り返さなければならない等の課題を招く可能性があった。すなわち、従来技術によるクリップユニットは、クリップを半開き状態で止めておくことができないため、操作性が悪いという課題を招く可能性があった。
【０００６】
この従来技術による課題を詳細に説明する。まず、結紮装置は、医師による操作によりシース先端のアームが開閉するクリップ及びリングから成るクリップユニットと、医師等がクリップユニットの開閉操作するための操作部と、該操作部と連結され、可撓性をもつ筒状のシースと、操作部から延びてシース内を貫通する操作ワイヤと、シースの外周を覆う筒状の外套管から構成される。なお、本出願においては、前記操作部からクリップユニットに向かう方向を先端側と呼び、逆に前記クリップユニットから操作部に向かう方向を後端側と呼ぶ。
【０００７】
前記操作部は、医師の掌に把持される円筒状の軸状部と、該軸状部の外周に嵌め込まれて軸方向にスライドし、前記操作ワイヤが連結されるスライダと、前記軸状部の後端に取り付けられる指掛リングとから構成され、軸状部に対してスライダを長手方向に移動させることにより操作ワイヤを牽引又は押し出し操作して先端のアームを開閉操作する。例えば、医師が、シースを消化器官内の患部にクリップユニットを位置させた状態で、先端部のアームを開閉して患部を挟み込み、この患部を挟み込んだ状態でクリップユニットを連結金具から取り外し留置することによって患部の止血等を行うように構成される。
【０００８】
従来技術によるクリップユニットは、例えばバネ用のステンレス板等のようなバネ性を有する細長板材をプレス加工等で曲げられ、弾性復元力により先端が開くように付勢されたクリップと、該クリップの先端側の外周に被嵌されることによりクリップの先端を閉じた状態に維持するための円環状のリングとにより構成される。
【０００９】
この従来技術によるクリップは、閉じた状態の板材表面が見える側を平面として表す図３Ａ（ａ）及び閉じた状態の板材幅狭側面が見える側を側面として表す図３Ａ（ｂ）に示す如く、バネ性を有する細長板材を折曲した折り曲げ部分（図の下方）の後端側から、板幅が最も狭い第１幅の第１根元部１０７と、該第１根元部１０７から先端側に向かって延び、板幅が第１根元部１０７に比べてやや広い第２幅の第２根元部１０６と、該第２根元部１０６から先端側に向かって延び、板幅が第１根元部１０７と略同等幅の細部１０５と、該細部１０５から先端側に向かって延び、板幅が前記第２根元部１０６と略同等幅の中細部１０４と、該中細部１０４から延び、板幅が最も広い第３幅であって先端に患部を挟み込む様に内側に向かって折曲した先端折曲部１０２が設けられた先端部１０３とから構成され、図３Ａ（ｂ）の如く前記細部１０５の先端側に、内方へ緩やかに編曲する湾曲部１０５ｃが形成されている。
【００１０】
また、このクリップに被嵌される前記円環状のリングは、内径が、第２根元部１０６及び中細部１０４を貫通可能な前記第２幅より広く且つ先端部１０３に嵌まらない第３幅より狭く設定され、第１根元部１０７から挿入されて中細部１０４まで移動可能に構成されている。
【００１１】
このように構成された従来技術によるクリップユニットは、図３Ａ（ｃ）に示す如く、閉じられた状態で先端にリング１０９が固定されたシース２００から突出するように可撓性の外套管４００内から押し出されることにより、図３Ｂ（ｄ）に示す如くクリップの先端部１０３が自己弾性復元力により開き、患部９０に対して先端折曲部１０２を位置づけた後、図３Ｂ（ｅ）に示す如く連結金具４Ａを引き込んでリング１０９が先端部１０３を閉じて一対の先端折曲部１０２が患部９０を挟持するように構成されている。
【００１２】
さて、この従来技術による結紮装置は、図３Ｂ（ｄ）の如く挟持対象である患部９０を挟持するときクリップの先端が大きく開いた状態から先端部分を閉じるため、特に患部９０が小さい場合にクリップ先端位置と患部位置とが遠くなることによって挟持に失敗し、クリップを押し出して開き、再度の挟持を試みなければならないという不具合があった。
【００１３】
すなわち、従来技術による結紮装置は、リングが湾曲部に位置した状態から弾性復元力によってクリップを広い角度まで開く力が作用し、例えば、挟持対象である患部が小さい場合、広い角度に開いたクリップ先端位置と患部位置が乖離するため、クリップを閉じたときに患部を確実に挟持することが容易ではなく、クリップの開閉を繰り返さなければならないという課題を招く可能性があった。
【００１４】
このような課題に鑑みて本発明は、クリップの半開状態を維持して患部を挟持する際の操作性の良い内視鏡用クリップユニットを提供することを目的とする。
【課題を解決するための手段】
【００１５】
前記目的を達成するために本発明は、後端部分で曲げ戻されて外力が加わっていない状態の時は先端側に向かって拡開した形状になるようにバネ性を有する材料で形成されたクリップと、前記クリップに被嵌されて前記クリップの後端側から先端側に移動させることにより前記クリップを弾性変形させて強制的に閉じた状態にする環状のリングとを備える内視鏡用クリップユニットであって、前記クリップが後端側から先端側に向かって、前記リングが外周に被嵌されたときに所定の全開状態で仮止めする第１係止部と、該第１係止部から先端側に位置し、前記リングが外周に被嵌されたときに前記全開状態より狭い所定の半開状態で仮止めするように内方へ湾曲した第２係止部と、該第２係止部から先端側に位置し、前記リングが外周に被嵌されたときに前記クリップを全閉状態で固定する固定部と、を備えたことを第１の特徴とする。
【００１６】
また、本発明による内視鏡用クリップユニットは、第１の特徴の内視鏡用クリップユニットにおいて、前記クリップは、前記第２係止部及び固定部に被嵌されたリングの先端側に接するクリップの幅が後端側の幅に比べて広くなる段差が形成されていることを第２の特徴とし、前記段差が、前記クリップの後端側から先端側に向かって鈍角をなす斜面状に形成されていることを第３の特徴とし、前記第２係止部を先端側に向かって複数備えたことを第４の特徴とし、前記リングがコイル状に形成されていることを第５の特徴とする。
【発明の効果】
【００１７】
本発明による内視鏡用クリップユニットは、リングを半開状態で仮止めする第２係止部を設けたことによって、クリップの半開状態を維持することができ、患部が小さい場合であっても半開状態のクリップを患部に近づけることができ、操作性を向上することができる。
【図面の簡単な説明】
【００１８】
【図１】本発明の実施例による内視鏡用クリップユニットの構成を説明するための図。
【図２】本実施例による内視鏡用クリップユニットの動作を説明するための図。
【図３Ａ】従来技術による内視鏡用クリップユニットの構成を説明するための図。
【図３Ｂ】従来技術による内視鏡用クリップユニットの動作を説明するための図。
【発明を実施するための形態】
【００１９】
以下、本発明による内視鏡用クリップユニットの一実施例を図面を参照して詳細に説明する。
［構成］
【００２０】
本発明の実施例による内視鏡用クリップユニットは、図１に示す如く、例えばバネ用のステンレス板等のようなバネ性を有する細長板材をプレス加工等で曲げられ、弾性復元力により後述する細部１０５から先端が開くように付勢されたクリップ１０１と、該クリップ１０１の先端側の外周に被嵌されることによりクリップ先端を閉じた状態に維持するための円環状のリング１０９とにより構成される。
【００２１】
本実施例によるクリップ１０１は、閉じた状態の板材表面が見える側を平面として表す図１（ａ）及び閉じた状態の板材幅狭側面が見える側を側面として表す図１（ｂ）に示す如く、次の部位に区分けして構成され、各部位の境目を後端側から順に境目Ｄ、境目Ｃ、境目Ａ、境目Ｂと呼ぶ。
【００２２】
（１）バネ性を有する細長板材を折曲した折り曲げ部分（折曲部）の後端側から、先端側に向かって延び、板幅が最も狭く、境目Ｄに達する第１幅の第１根元部１０７。
（２）該第１根元部１０７の境目Ｄから先端側に向かって延び、板幅が第１根元部１０７に比べてやや広く、境目Ｃに達する第２幅の第２根元部１０６。
（３）該第２根元部１０６の境目Ｃから先端側に向かって延び、板幅が第１根元部１０７と同等幅であって、境目Ａに達する細部１０５。
【００２３】
（４）該細部１０５の境目Ａから先端側に向かって延び、板幅が前記第２根元部１０６と同等幅であり、境目Ｂに達する中細部１０４。この中細部１０４は、リング１０９を被嵌したときにクリップ１０１を全閉状態にする部分であり、本出願においては固定部とも呼ぶ。
（５）該中細部１０４の境目Ｂから延び、板幅が最も広い第３幅であって先端に患部を挟み込む様に内側に向かって折曲した先端折曲部１０２が設けられた先端部１０３。
【００２４】
特に本実施例によるクリップ１０１は、板材幅狭側面が見える側を表す図１（ｂ）に示す如く、前記第２根元部１０６の境目Ｃから境目Ａに達する細部１０５に２つの第１係止部１０５ａ及び第２係止部１０５ｂを設け、この第１係止部１０５ａ及び第２係止部１０５ｂの内側の湾曲した底部に位置したリング１０９がクリップの自己復元による拡がろうとする力並びに境目Ｃの段差によって、操作部からの操作力がかからない状態においては係止部の底部に留まるように構成されている。
【００２５】
すなわち、本実施例によるクリップ１０１は、前記第１根元部１０７から先端部１０３に達する間にリング１０９を全開状態で係止する第１係止部１０５ａ及び半開状態で係止する第２係止部１０５ｂとを成形等により形成し、第１係止部１０５ａの位置にリング１０９を被嵌したとき、図１（ｄ）に示す如く、リング１０９の後端が境目Ｃに当接した状態で一対の先端部１０３が全開し、第２係止部１０５ｂの位置にリング１０９を被嵌したとき、図１（ｃ）に示す如く、一対の先端部１０３が半開するように構成されている。なお、本出願において「半開状態」とは、クリップの全開状態に対して開閉度が少ない状態を意味し、全開に対して物理的に半値のみを意味するものではない。
【００２６】
このように本実施例によるクリップ１０１は、前記第１係止部１０５ａと第２係止部１０５ｂと中細部（固定部）１０４にリング１０９が被嵌されたときの先端側へ向かう方向の各幅（第１幅、第２幅）が、前記第１係止部１０５ａと第２係止部１０５ｂと中細部（固定部）１０４にリングが被嵌されたときの各幅（第２幅、第３幅）に比べ、クリップの後端側から先端側に向かって鈍角をなす斜面状に形成された段差をもって広く形成している。このように本実施例によるクリップ１０１は、第２根元部１０７及び細部１０５の第１幅から第２根元部１０６及び中細部１０４の第２幅に拡がり、中細部１０４の第２幅から先端部１０３の第３幅に拡がるように段差を形成している。
【００２７】
前記リング１０９は、例えばバネ用ステンレス線材を一定の径で円形の断面形状に複数巻き（例えば５〜１０巻き）だけ密着巻きした金属コイルで形成されている。ただし、粗巻きに形成してもよく、パイプ材等で形成してもよい。
なお、本実施例においては、係止部を２つ設ける例を説明するがクリップ全長が長い場合やリングが円筒軸方向に短い場合は３つ以上設けるように構成しても良い。
【００２８】
［動作］
次に、このように構成された本実施例による内視鏡用クリップユニットの施術時の動作を図２を参照して説明する。
【００２９】
（１）本実施例による内視鏡用クリップユニットは、内視鏡施術開始前の状態においては、図２（ａ）に示す如く、第１係止部１０５ａにリング１０９が被嵌され、該リング１０９から細部１０５より先側が突出したクリップ１０１が外套管４００内に収納され、この状態で医師の操作により外套管４００の先端が患部の近傍に位置づけられる。
（２）次いで、医師が外套管４００からシース２００を押し出すことによって、図２（ｂ）に示す如く、外套管４００内壁により閉じられていたクリップ１０１の一対のアームである先端部１０３が開放されて全開し、患部９０に近づけられる。
【００３０】
（３）次いで、医師が操作部を用いてクリップ１０１を操作ワイヤを牽引することによって、連結金具４Ａを介してクリップ１０１の後端側を牽引し、牽引された後の図２（ｃ）に示す如く、前述の全開状態のクリップ１０１の先端部１０３がやや閉じ、牽引されたクリップ１０１の第２係止部１０５ｂの位置に被嵌した状態で仮固定されたリング１０９がクリップを締め付け、クリップ１０１が半開状態に維持される。
【００３１】
すなわち、従来においてはクリップ１０１を後端側に向かって牽引するとクリップ１０１の先端側が一気に閉じてしまっていたものを前記第２係止部１０５ｂを設けたことによってクリップの半開状態を維持することができる。この半開状態は、従来のクリップにおいても医師が操作部のスライダと指掛リングとの牽引を微調整することにより機構的には可能ではあるが、この調整はクリップの牽引を長尺状の操作ワイヤを介して行うこと、湾曲した操作ワイヤとシース内壁との摩擦があること、長さ数ミリ程度範囲において行う必要があるため、患部にクリップを位置づけることを優先する医師にとっては非常に困難なものである。
【００３２】
（４）次いで、医師が操作部を用いてクリップ１０１を操作ワイヤを用いて牽引することにより、図２（ｄ）に示す如く、リング１０９が、前述の半開状態のクリップ１０１の先端部１０３を閉じ、牽引されたクリップ１０１の第２係止部１０５ｂを超えて先端部１０３との境目Ｂの位置まで移動して中細部１０４に被嵌及び固定されることによって患部９０を挟持することができる。
【００３３】
このように本実施例による内視鏡用クリップユニットは、リング１０９を仮固定する係止部をクリップ１０１の先端部１０３に近接して設けたことによって、クリップの半開状態を維持することができ、従って、患部９０が小さい場合であっても半壊状態のクリップを患部に近づけることができ、操作性を向上することができる。
【符号の説明】
【００３４】
９０  患部、１０１  クリップ、１０２  先端折曲部、
１０３  先端部、１０４  中細部、１０５  細部、１０５ａ  第１係止部、
１０５ｂ  第２係止部、１０５ｃ  湾曲部、１０６  第２幅の第２根元部、
１０７  第１幅の第１根元部、４００  外套管
【図１】
2020185036.tif 000003
【図２】
2020185036.tif 000004
【図３Ａ】
2020185036.tif 000005
【図３Ｂ】
2020185036.tif 000006